(57)【要約】  取り付けアセンブリは、フック構成部材と、フック構成部材が取り外し可能に取り付けられたブラケット構成部材とを有する。フック構成部材は、ベース本体と、ベース本体に取り付けられたフック部材と、フック構成部材にアイテムを取り付けるための取り付け装置と、フック構成部材に取り付けられた第１マグネットとを有する。ブラケット構成部材は、ベース面と、フロント面と、ベース面およびフロント面との間のフック支持ストラットと、を有する。ブラケット構成部材は、ベース面に接続された第２マグネットを有する。フック部材を、ベース面とフロント面との間の空間に挿入することによって、両マグネットは互いに吸引しあって、フック部材を空間を通して押し込んでフック支持ストラット上に載置させる。
2020524769.tif 000002
【特許請求の範囲】
【請求項１】
取り付けアセンブリは、フック構成部材とブラケット構成部材とを備え、
前記フック構成部材は、ベース本体と、当該ベース本体に取り付けられたフック部材と、前記フック構成部材にアイテムを取り付けるための取り付け装置および前記フック部材に接続された第１マグネットと、を有し、
前記ブラケット構成部材は、ベース面と、フロント面と、前記ベース面と前記フロント面の間のフック支持ストラットと、を有し、前記ブラケット構成部材は、更に前記ベース面に接続された第２マグネットを有し、
ここで、前記フック部材を前記ベース面と前記フロント面との間の空間に挿入すると、前記両マグネットが互いに引き付け合い、前記フック部材を当該空間を通して、前記フック支持ストラット上に載置させる取り付けアセンブリ。
【請求項２】
前記フック部材は、当該フック構成部材が前記ブラケット構成部材に固定されたときに前記フック支持ストラットの縁部をつかむ湾曲した端部を有する請求項１に記載の取り付けアセンブリ。
【請求項３】
前記第１マグネットは前記フック部材に埋め込まれ、前記第２マグネットは前記ベース面に埋め込まれている請求項１に記載の取り付けアセンブリ。
【請求項４】
前記ベース本体はその中央部分に開口部を有し、前記取り付け装置は前記開口部を横切って延出するストラップ保持バーを含む請求項１に記載の取り付けアセンブリ。
【請求項５】
前記フック部材は、全体的に湾曲した外輪郭を有する請求項１に記載の取り付けアセンブリ。
【請求項６】
前記ブラケット構成部材は、前記フック支持ストラットとは反対の方向に前記ベース面から離間して延出する少なくとも１つのロックフランジを有し、
当該ロックフランジは、脚部と、ロックプレートと、を有し、前記ロックプレートは、前記脚部の幅および長さよりも大きい幅および長さを有し、
前記取り付けアセンブリは、更に、バックプレートを有し、当該バックプレートは、上面と、支持リムと、前記上面に設けられた少なくとも１つの開口部とを有し、
前記少なくとも一つの開口部は、少なくともロック面の長さと同じ長さの第１部分と、少なくとも前記脚部の長さと同じ長さであるが前記ロックプレートの長さよりも短い第２部分とを有し、これにより、前記ブラケット構成部材は、前記開口部の前記第１部分を通して前記ロックプレートを配置して、前記ロックフランジが前記第２部分を貫通するまで前記ブラケット構成部材をスライドさせることによって、前記バックプレートにロックされるように構成されている請求項１に記載の取り付けアセンブリ。
【請求項７】
前記バックプレートは、更に、前記少なくとも一つの開口部の下方に取り付けられたバネを有し、
ここで、前記バネは、前記ブラケット構成部材が前記少なくとも一つの開口部に挿入された時に、前記ロックプレートによる圧力に屈し、そして、前記ロックフランジが前記開口部の前記第２部分へと移動すると静止位置に戻り前記ロックプレートに当接して、前記ブラケット構成部材のロックを解除できる前記開口部の前記第１部分への前記ブラケット構成部材のスライドを防止する請求項６に記載の取り付けアセンブリ。
【請求項８】
前記ブラケット構成部材と前記バックプレートとの一方には、前記ブラケット構成部材が前記バックプレートに対してロックされた時に前記ブラケット構成部材または前記バックプレートの他方をグリップするべく、複数の突起が形成されている請求項６に記載の取り付けアセンブリ。
【請求項９】
二つのロッキング脚部とロックプレートとが設けられ、更に、前記バックプレートに形成された第２開口部を有する請求項６に記載の取り付けアセンブリ。
【請求項１０】
前記第２開口部は前記バックプレートのエッジまで延出している請求項９に記載の取り付けアセンブリ。
【請求項１１】
前記両マグネットは互いに重なり合うとともに、前記フック構成部材が前記ブラケット構成部材に取り付けられた時には互いからオフセットして、これにより、磁気吸引力からの力によって前記フック部材を前記空間に連続的に押し込む請求項１に記載の取り付けアセンブリ。
【請求項１２】
前記両マグネットは、前記諸構成部材に対して圧入または接着剤によって取り付けられている請求項１に記載の取り付けアセンブリ。
【発明の詳細な説明】
【技術分野】
【０００１】
本発明は、磁化ブラケットによって所定の位置に保持されるフックに関する。詳しくは、本発明は、フックとブラケットのそれぞれにこれら二つの部品を互いに接続された状態に維持するマグネットが設けられたフックとブラケットとに関する。
【背景技術】
【０００２】
アイテムを衣類または荷物に取り外し可能に取り付けることが望まれることが多い。フック部材を衣服または荷物のブラケットに接続し、付属品をウェビング（帯紐）を介してフックに取り付けて、フックを使用することによってこのタスクを達成することが可能である。この構成の一つの欠点は、ブラケットを保持する下方の布地が非常に柔らかい場合、フックの取り付けが困難となりうることが多いことである。フックをブラケットに押し込もうとしても、せいぜい布地が動くだけで、フックは外れない。さらに、フックにかかる横方向の力によって、フックが外れて、その結果、前記付属品が損失することがある。
【０００３】
二つの部品の互いの接続を補助し、閉じの確実性を増すために、閉じ部材にマグネットを使用することができる。例えば、Grunbergerの米国特許第６，２９２，９８５号および米国特許第６，５０５，３８５号は、２つの部品のそれぞれがマグネットを有する磁気クロージャを開示している。マグネットの相互の引力は、２つの部品を互いに接続することを補助し、これらマグネットの相互の引力を克服するには特別な力が必要である。しかしながら、この構成の欠点は、二つの部品が極めて容易に分離しやすいことから、大きな荷重と力には適していないことにある。
【先行技術文献】
【特許文献】
【０００４】
【特許文献１】米国特許第６，２９２，９８５号
【特許文献２】米国特許第６，５０５，３８５号
【発明の概要】
【発明が解決しようとする課題】
【０００５】
従って、本発明の課題は、重い荷物を荷物、衣類、または他のアイテムに取り付けることができ、あらゆる方向からの力に耐え、かつ片手で着脱可能な機構を提供することにある。
【課題を解決するための手段】
【０００６】
これらおよびその他の課題は、フック構成部材と、フック構成部材が取り外し可能に取り付けられるブラケット構成部材とを有する取り付けアセンブリによって達成される。前記フック構成部材は、ベース本体、当該ベース本体に取り付けられたフック部材、前記フック構成部材にアイテムを取り付けるための取り付け装置、および前記フック部材に接続された第１マグネットを有する。前記ブラケット構成部材は、ベース面、フロント面、および前記ベース面と前記フロント面の間のフック支持ストラットを有する。前記ブラケット構成部材は、前記ベース面に接続された第２マグネットを有する。前記フック部材を前記ベース面と前記フロント面との間の空間に挿入すると、前記両マグネットが互いに引き付け合い、前記フック部材を当該空間を通して、前記フック支持ストラット上に載置させる。
【０００７】
前記フック構成部材上の前記取り付け装置は、前記フック構成部材の開口部を横切って延出するストラップ保持バーとすることができる。当該ストラップは、アイテムを前記フック構成部材に、最終的には前記ブラケット構成部材にフックを介して接続できるように、一方の端部ではアイテムに、もう一方の端部では前記ストラップ保持バーに取り付けることができる。このように、前記ブラケット構成部材が荷物や衣服などの物品に恒久的に固定されると、前記アイテムは前記フック部材を前記ブラケット構成部材に挿入することによって物品に取り外し可能に取り付けられる。
【０００８】
前記ブラケット構成部材による前記フック部材の保持を容易にするために、前記フック部材は、前記フック構成部材が前記ブラケット構成部材に固定されたときに前記フック支持ストラットの縁部をつかむ湾曲した端部を有する。前記フック部材も、全体的に湾曲した外輪郭を有し、これは、前記フック部材が前記ブラケット構成部材の前記空間に滑り込むことを補助する。ブラケット構成部材の壁も、前記フック部材の前記空間内へのさらに良好な滑り込みを可能にするべく、全体的に丸みを帯びている。
【０００９】
前記両マグネットは、同じサイズと形状であることが好ましい。前記第１マグネットは前記フック部材に埋め込まれ、前記第２マグネットは前記ベース面に埋め込まれることが好ましい。前記フック構成部材が前記ブラケット構成部材に完全に接続されると、前記両マグネットは互いに重なるが、完全には重なり合わされないように互いからオフセットされている。これによって、前記フック部材からの不意の離脱を防止するべく、磁気吸引力が、前記フック部材を前記空間を介して連続的に押し付ける。前記両マグネットは、圧入または接着剤で前記諸構成部材に取り付けることができる。
【００１０】
前記ブラケット構成部材を荷物や衣類などの物品に取り付けるために、バックプレートが使用され、ここで、前記荷物または衣服は、前記ブラケット構成部材と当該バックプレートの間に載置され、その後、前記ブラケット構成要素と前記バックプレートとを互いに接続する。一実施例において、前記ブラケット構成部材は、前記フック支持ストラットとは反対の方向に前記ベース面から離間して延出する少なくとも１つのロックフランジを有する。当該ロックフランジは、前記ベース面から離間して延出する脚部と、前記ベース面に平行に延出するロックプレートとで構成され、前記ロックプレートは、前記脚部の幅および長さよりも大きい幅および長さを有する。前記バックプレートは、上面と、上面から立ち上がる支持リムとを有する。前記上面には少なくとも１つの開口部が設けられている。当該開口部は、少なくとも前記ロック面の長さと同じ長さの第１部分と、少なくとも前記脚部の長さと同じ長さであるが前記ロックプレートの長さよりも短い第２部分とを有する。前記ブラケット構成部材は、前記開口部の前記第１部分を通して前記ロックプレートを配置して、前記ロックフランジが前記第２部分を貫通するまで前記ブラケット構成部材をスライドさせることによって、前記バックプレートにロックされるように構成されている。前記第２部分は前記ロックプレートの長さよりも小さいため、前記ブラケット構成部材は、前記ロックフランジをスライドさせて前記開口部の前記第１部分に戻さない限り、前記バックプレートから分離することができない。
【００１１】
好ましくは、前記ブラケット構成部材には二つのロックフランジが設けられ、前記バックプレートには二つの開口部が設けられている。前記第２開口部は、前記バックプレートのエッジまで延出して当該エッジ内に開口することができ、それによって、当該第２開口は前記第１開口の前記第２部分のサイズにすることができる。前記第２ロックフランジは、ロックフランジを前記バックプレートの前記エッジから前記開口部内に滑り込ませることによって前記第２開口部に挿入することができる。
【００１２】
前記ブラケット構成部材が前記バックプレートから誤って外れないようにするために、前記バックプレートの少なくとも１つの開口部の下方にバネを取り付けることができる。このバネは、前記ブラケット構成部材がバックプレートの開口部に挿入されているときに前記ロックプレートに上向きの圧力を加え、このロックプレートが第２部分に滑り込むと無負荷位置に戻る。その後、前記バネは前記ロックプレートに当接し、当該ロックプレートがスライドして前記開口部の第１部分に戻るのを防ぐ。
【００１３】
前記バックプレートを前記ブラケット構成部材にさらに固定するために、前記バックプレートまたはブラケット構成部材（またはその両方）に、他の構成部材内に陥入して、これら二つの構成部材の相対的なスライドを防止する複数の突起を設けることができる。前記バックプレートとブラケット構成部材とを衣類や荷物の物品に組み付けるために、衣類や荷物には、ブラケット構成部材の前記ロックフランジが通る穴またはスリットが設けられている。その後、前記ロックフランジを前記バックプレートにロックして、これら構成部材を互いに対して、そして、前記物品に対してロックする。
【００１４】
本発明による前記アセンブリは、バックプレートによる物品への確実な取り付け、フックの湾曲した構造、およびマグネットによって生成される力により、フック構成部材をブラケット構成部材に片手だけで取り付けることを非常に簡単にする。ユーザーは、単に感触でフックを取り付けることができ、使用中にアセンブリを視覚化する必要がない。本発明は、厄介でありうる長手ウェビングを物品に直接取り付ける試み、またはウェビングの柔らかさのために通常両手を要するウェビングのループにフックを取り付ける試みの困難性を排除するものである。磁気吸引力とフック部材の形状により、フック部材はロック位置に「スナップ」し、フック部材がブラケット構成部材に完全に挿入されたことを音で知らせる。
【００１５】
フック構成部材をブラケット構成部材から外すには、フックをブラケット構成部材の開口部から単純に引き出す。これは片手で行うことができる。この動きの方向はマグネットの磁力の方向に対して垂直であるため、磁気吸引力を解除してフックをロック位置から解放することは困難ではない。取り外しのあるポイントで、両マグネットの同じ極が互いに接近し、開口部からフック部材をさらに追い出すのに役立つ。
【００１６】
本発明は、リュックサック、バックパック、ハンドバッグまたはブリーフケースなどのバッグに特に有用であり、軍服、ビジネス衣料品、ハイキングおよびスキー衣料品にも使用である。構成部材は硬質プラスチックで成形されており、片手で構成部材を見ずにフック構成部材をブラケット構成部材に着脱できる十分な構造を提供する。
【００１７】
本発明のその他の課題および特徴は、添付の図面に関連して考慮される以下の詳細な説明から明らかになるであろう。しかしながら、図面は、本発明の限定の定義としてではなく、例示としてのみ構成されたものであると理解される。
【００１８】
これら図面において、類似の参照符号は、いくつかの図を通して類似の部材を示している。
【図面の簡単な説明】
【００１９】
【図１】本発明による取り付けシステムの構成部材の分解図を示した図である。
【図２】本発明によるフック構成部材の底部の斜視図を示した図である。
【図３】前記フック構成部材の底面図を示した図である。
【図４】図３の線Ａ−Ａに沿った断面図を示した図である。
【図５】本発明による前記ブラケット構成部材の斜視図を示した図である。
【図６】前記ブラケット構成部材の背面図を示した図である。
【図７】図６の線Ａ−Ａに沿った側面断面図を示した図である。
【図８】組付けられた状態の本発明の構成部材の斜視図を示した図である。
【図９】前記アセンブリの背面図を示した図である。
【図１０】図９の線Ａ−Ａに沿った側方断面図を示した図である。
【図１１】図８の線Ｂ−Ｂに沿った断面図を示した図である。
【発明を実施するための形態】
【００２０】
好適実施例の詳細説明
図面、特に図１を詳細に参照すると、図１は、本発明による取り付けアセンブリ１０の分解図を示している。当該取り付けアセンブリ１０は、フック構成部材２０、ブラケット構成部材３０、およびバックプレート４０を有する。前記フック構成部材２０は、ベース本体２１およびフック部材２２を有する。前記ベース本体２１を横切り、開口２４にまたがって、そのバー２３に巻き付けられて、スライド式バックルまたは縫製のいずれかによって固定されたストラップを保持するためのストラップ保持バー２３が設けられている。
【００２１】
前記フック部材２２にはマグネット２５が埋め込まれている。当該マグネット２５は、スナップ嵌めまたは接着剤によって固定することができる。前記フック部材２２の端部は、図５−７に図示されているように、当該フック部材２２をブラケット構成部材３０に固定するのを助けるために下向きに湾曲している。前記ブラケット構成部材３０は、ベース面３１、フロント面３２、および前記ベース面３１と前記フロント面３２との間にあるフック支持ストラット３３を有する。前記ベース面およびフロント面とストラット３３の構造は、前記フック部材２２を受け入れるための通路３４を形成している。前記ベース面３１に接続された第２マグネット３５が設けられている。この第２マグネット３５は、前記ベース面３１に埋め込まれ、スナップ嵌め、接着剤または任意の他の適切な方法によりそこに固定することができる。
【００２２】
前記ブラケット構成部材３０は、前記フック支持ストラット３３とは反対の方向に前記ベース面３１から離間して延出する２つのロックフランジ３６を有する。各ロックフランジ３６は、脚部３７およびロック面３８を有する。ロック面３８は、脚部３７の幅および長さよりも大きい幅と長さを有する。
【００２３】
前記フロント面３２には窪み３９が設けられている。ユーザは、前記通路３４を通して前記フック部材２２をスライドさせる時に、てこ作用のためのこの窪み３９に親指を置くことができるため、窪み３９は、前記通路３４を通して前記フック部材２２を配置する際にユーザを助ける。
【００２４】
図１および図９に示されるように、前記ブラケット構成部材３０は、バックプレート４０に取り付け可能である。当該バックプレート４０は、開口部４１およびスロット４２を有する。スロット４２は、前記ロックプレート３８の挿入に適合するサイズの幅広部４４と、ロックプレート３８よりも長さが短い小部分４５を有し、これにより、ロックプレート３８は前記幅広部４４を通して挿入され、前記小部分４５までスライドしてブラケット構成部材３０をバックプレート４０にロックすることができる。同様に、前記スロット４２は、幅広面取り領域４３を有し、これは他方のロック面３８を受けるべくバックプレート４０の側面に開口している。前記ブラケット構成部材３０がバックプレート４０と同一平面上に、すなわち図９では右側へスライドされると、ロック面３８は、スロット４２の小さなサイズによって位置保持される。ブラケット構成部材３０をバックプレート４０にさらにロックするためには、バネ４６をスロット４２に配置する。バネ４６は、スロット４２の幅広部分に挿入されると下方に曲がってロック面３８へと屈することができるが、その後、ブラケット構成部材３０が、ロックフランジ３６が、図９に図示されているように、スロット４２の小部分上に位置するロック位置へとスライドされると休止位置へと跳ね戻る。そこに見られるように、その後、バネ４６はロック面３８に当接し、ブラケット構成部材３０の後方移動を防止し、それによって、当該ブラケット構成部材３０がバックプレート４０から不意に外れることを防止する。
【００２５】
バックプレート４０をさらにブラケット構成部材３０に固定するためには、図示されているようにバックプレート４０に、もしくはブラケット構成部材３０（あるいはこれらの両方）に、他方の構成部材に食い込んでこれら二つの構成部材の互いに対するスライドを防止する複数の突起４７を備えさせることができる。
【００２６】
前記バックプレート４０を使用して、ブラケット構成部材３０を荷物または衣類などの物品に接続することができる。これを行うために、荷物または衣服には、ロッキング脚部３７の寸法に一致する穴が設けられている。前記ロックフランジ３６は、これらの穴（図示せず）を通して送り込まれ、その後、前記物品の反対側にあるバックプレート４０に取り付けられる。これにより、物品はバックプレート４０とブラケット構成部材３０の間に保持される。
【００２７】
完全にロックされたアセンブリが、図８−１０に図示されている。前記フック部材２２を通路３４を通してスライドさせることによりブラケット構成部材３０に接続すると、マグネット２５および３５が互いに引き付け、フック部材を通路３４にしっかりと着座した状態に維持する。前記フック構成部材２０の湾曲した端部が通路３４を超えて延出するとともに、フック構成部材２０のブラケット構成部材３０からの抜けの防止を補助する。
【００２８】
図１１に図示されているように、前記ロック位置においては、前記両マグネット２５と３５は重なり合っているが、互いにわずかにずれているため、フック部材２２に一定の圧力が加えられ、それを通路３４内にさらに押し込む。着衣者がフック部材２２の取り外しを開始すると、前記両マグネットは互いから外れ、特定のオフセット位置に達すると、これらマグネットは、互いに対して実際に反発して、前記フック部材の通路３４からの取り外しを補助することができる。
【００２９】
以上、本発明の少数の実施形態のみを図示、説明したが、本発明の趣旨および範囲から逸脱することなく、多くの変更および修正を加えることができることはもちろんである。
【図１】
2020524769.tif 000003
【図２】
2020524769.tif 000004
【図３】
2020524769.tif 000005
【図４】
2020524769.tif 000006
【図５】
2020524769.tif 000007
【図６】
2020524769.tif 000008
【図７】
2020524769.tif 000009
【図８】
2020524769.tif 000010
【図９】
2020524769.tif 000011
【図１０】
2020524769.tif 000012
【図１１】
2020524769.tif 000013
【国際調査報告】
2020524769.tif 000014
2020524769.tif 000015